(57)【要約】【課題】本発明はこれらの欠点を解消し、可動式掲示パネルボードを家屋の狭隘なスペースにおいても設置することが可能であると共に、仕切りボード等の機能を図ることもできる掲示パネルボードを提供することである。【解決手段】スペース用可動式掲示パネルボードは、その表面側に設けたコルク材４に書類を押しピンで止め付け、あるいはその表面側に設けた鋼板材５に書類を磁石等により止め付けることができる可動式の掲示パネルボード１であって、屋内における冷蔵庫Ｃと屋内壁との狭隘なスペースＡに掲示パネルボード１の下部に設けた滑り車（戸車）３と共に、滑り部材のための軌道部材８を設けることにより、可動式に配設することを特徴とする。【選択図】図１
2004069750.tif 000002
【特許請求の範囲】
【請求項１】
押しピンや磁石等の止め付け部材を用いることにより表面に書類を止め付けることができる可動式の掲示パネルボードであって、屋内の家具等と壁面とのスペースに可動式に配設することを特徴とするスペース利用可動式掲示パネルボード。
【請求項２】
掲示パネルボードの下部に滑り車と共に、この滑り車のための軌道部材を設けてなる請求項１に記載されたスペース利用可動式掲示パネルボード。
【請求項３】
掲示パネルボードの上部が片持ち梁状に吊り掛けられている請求項１又は２に記載されたスペース利用可動式掲示パネルボード。
【発明の詳細な説明】
【０００１】
【発明の属する技術分野】
本発明は、屋内のスペースを利用して可動式に配設することができる掲示パネルボードに関するものである。
【０００２】
【従来の技術】
従来、一戸建ての家屋、マンション等の屋内においては、冷蔵庫等の扉部や、特別に設けたコルクボード等に各種書類が磁石や押しピン等の止め付け部材により止め付けられることが多い。
【０００３】
しかし、冷蔵庫等の扉部に書類等が磁石により止め付けられる場合、書類により屋内の冷蔵庫等の見栄えが悪くなったりする。また、冷蔵庫の扉部はその機能から頻繁に開閉されることから、止め付けられた書類が安定化せず、止め付け位置が乱れてしまうことも多い。コルクボード等を利用する場合、そのコルクボード等自体の取付け作業が必要であるばかりでなく、そのコルクボードの設置のための壁部が特別に必要となるという欠点がある。
【０００４】
【発明が解決しようとする課題】
このようにコルクボード等を設ける場合には、書類を押しピン等の止め付け部材により止め付けておくことができるが、コルクボード自体を取り付けるための壁部や、その取り付け作業が別途に必要となるという欠点がある。
【０００５】
そこで、本発明はこれらの欠点を解消し、例えば、冷蔵庫と屋内の内壁との狭隘なスペースにおいても可動式に設置することが可能であると共に、隣室との間に間仕切りボード等の機能を図り得る掲示パネルボードを提供することを目的とした。
【０００６】
【課題を解決するための手段】
上記した目的を達成するため、本発明のスペース利用可動式掲示パネルボードは、押しピンや磁石等の止め付け部材を用いることにより表面に書類を止め付けることができる可動式の掲示パネルボートであって、屋内の家具等と壁面とのスペースに可動式に配設することを特徴とする。
【０００７】
上記した本発明のスペース利用可動式掲示パネルボードは、屋内のスペースに配設するものであるから、屋内における狭隘なスペースにおいても、その掲示パネルボードの可動式と相まって、書類等の止め付け面の有効利用を図ることができる。また、掲示パネルボード面への書類の止め付けは、その表面側を、押しピンを差し込むことが可能な木板、コルク材等と共に、磁石による止め付けが可能な鋼板材等による層を積層した構成とすることができる。
【０００８】
本発明の掲示パネルボードは、各種の材料による止め付け領域を区分して積層した構成とすることもできる。また、掲示パネルボードの裏面側にも、屋内のスペースを確保できる限り、表面側と同様に、書類等の止め付け面として構成することもできる。
【０００９】
当該パネルボードの裏面側については、特に、木板や白クロス仕上げとしておくことが好ましい。この掲示パネルボードが隣室の入り口等に接近して配設されているときには、掲示パネルボードの移動時に、当該パネルボードの裏面側がその開口部と面する状態となり、隣室の入り口等に対する間仕切りとして機能させることができるからである。
【００１０】
本発明の掲示パネルボードは、屋内のオフィースや家庭内の家具等との間のスペースに設けて利用することができるが、特に、家庭内の台所における冷蔵庫等を含む家具との間の狭隘なスペースで利用することができる。屋内の狭隘なスペースで利用する場合には、当該スペース内に掲示パネルボードを収納した状態で、書類を止め付けてその面をそのスペース内に収納してしまうことができるからである。
【００１１】
本発明のスペース利用可動掲示パネルボードでは、掲示パネルボードの下部に滑り車が設けられている構成を含む。この滑り車としては、掲示パネルボードの下部に戸車等の滑り車を埋め込んだ状態で設けておくことができる。これにより、掲示パネルボードの移動機能を確保できると共に、書類の止め付け面積をより拡大できるからである。
【００１２】
上記した滑り車には対応する軌道部材を設けることができる。軌道部材としては、軌道レールのほか、滑り車を嵌め込むことができる凹形の軌道部材であってもよい。この場合、掲示パネルボードの滑り車を嵌め込む状態となると、当該パネルボードが移動されたときに安定した起立状態に維持することができる。このように、掲示パネルボードの起立状態を安定して確保できる限り、屋内のスペース領域に合わせて、軌道部材を即座に設置乃至配置することができるからである。なお、軌道部材の長さがパネルボードが収納領域を越えて設けられるときは、当該パネルボードが収納される屋内のスペース以外の部位の障害となるので、好ましくない。
【００１３】
本発明の掲示パネルボードには、掲示パネルボードの上部が片持ち梁状に吊り掛けられている構成が含まれる。これにより、掲示パネルボードの移動時における安定性をより高めると共に、スムーズな移動を図るためである。
【００１４】
【発明の実施の形態】
本発明に係る可動式掲示パネルボードの配設形態を図に基づいて説明する。図１に示すように、可動式掲示パネルボード１は、屋内の冷蔵庫等の器具類と壁部との間における狭隘なスペースＡに配設することができる。この屋内の狭隘なスペースＡは、例えば、家屋等の屋内の台所Ｂにおける壁部Ｂａと冷蔵庫Ｃとの間のスペースを利用することができる。近年、冷蔵庫Ｃは、その放熱範囲が主に冷蔵庫Ｃの上方部にシフトされ、その側面方向への放熱が小さくなっているからである。Ｃａは冷蔵庫Ｃの扉部である。このため、台所Ｂの壁部Ｂａと冷蔵庫Ｃとの間に狭隘なスペースＡを支障なく確保することができるからである。
【００１５】
掲示パネルボード１は、図２に示すように、木材等を基材２としたものである。この基材２の下部には、滑り車としての戸車３が設けられている。この戸車３については、基材２の内部に埋め込まれるように設けられていてもよい。
【００１６】
基材２の表面側２ａには、コルク材４および鋼板材５が積層されている。すなわち、基材の表面側２ａにコルク材４が一面に設けられ、さらに、コルク材４の上部位置の面上に鋼板材５が積層されている。鋼板材５には、複数の貫通穴５ａが均等間隔で設けられている。鋼板材５には磁石の磁力を及ばせることができ、また、貫通穴５ａを介してはコルク材４の面が露出しており、貫通穴５ａを介して押しピンを及ばせることができる。
【００１７】
さらに表面側２ａには、その中央部にストレッチネット６が渡るように設けられている。ストレッチネット６は、その上部６ａがゴム材等の弾性部材により袋状に形成され、その上部を開放できるようになっている。このため、ストレッチネット６の上部を開いて、任意の書類を挟み込む状態とすることができる。また、このストレッチネット６については、その上部６ａ及び下部６ｂが、書類を挟むことが可能なように開放できるようにされていてもよい。
【００１８】
基材２の裏面側２ｂには、木板や白クロス等７が積層されている。積層された木板や白クロス等７は、隣室Ｄの入り口Ｄａに対し、移動させた掲示パネルボード１を一種の間仕切りとして機能させる得るようにするためである。なお、掲示パネルボード１の裏面側２ｂについても、屋内のスペースにおける制限がない限り、表面側２ａと同様の書類の取り付け面として利用することも可能である。また、２ｃは、基材２の側部中央に設けられた取手であり、掲示パネルボード１を手動操作により移動させることができるようになっている。
【００１９】
戸車３には、軌道レール８が狭隘なスペースＡの台所Ｂにおける床面Ｂｂに敷設されている。掲示パネルボード１が軌道レール８に沿って移動できるようにするためである。掲示パネルボード１の移動範囲は、狭隘なスペースＡに沿う方向でもある。従って、掲示パネルボード１を狭隘なスペースＡに収納したときに、その表面側２ａは、狭隘なスペースＡに収納された状態となる。この収納状態により、屋内における開放されていない壁部の面へ書類の止め付ける面にまで実質的に拡げることができる。
【００２０】
図３には、掲示パネルボード１を軌道レール８に沿って移動させた場合の状態を示した。この場合、台所Ｂの壁部Ｂａに沿って掲示パネルボード１の収納状態が解除されて、表面側２ａの全面を確認することが可能となる。さらに、止め付けた書類を探し出すこと、あるいは他の書類を止め付けることが可能となる。
【００２１】
書類９ａは、図３に示すように、掲示パネルボード１の表面側に、各種の書類ａが止め付け用の磁石１ａあるいは押しピン１ｂ等により止め付けられる。また、他の書類９ｂはストレッチネット６に差し込まれた状態で止め付けらる。
【００２２】
さらに、図３に示すように、台所Ｂが隣室Ｄの出入り口Ｄａと隣接しており、この付近にまで掲示パネルボード１を移動させたときに、掲示パネルボード１を出入り口Ｄａに対する間仕切り同様の機能を発揮させることができる。この場合、掲示パネルボード１の裏面側には、隣室との間に木板や白クロス等７の仕上げがなされていることが好ましい。
【００２３】
掲示パネルボード１は、軌道レール８に沿って移動できるが、軌道レール８は、隣室Ｄの出入り口Ｄａの位置にまで及んでいる。このため、戸車３はその凹面形状により軌道レール８に上載されたままの状態が確保されるから、移動された時点で掲示パネルボード１はなおもその起立状態が安定して維持されており、容易に一方側（台所Ｂ側）に倒れてしまうのを防止できる。
【００２４】
本発明の掲示パネルボード１０には、図４に示すように、前記した戸車８に代えて、滑り車１１を備えると共に、凹形の軌道部材１２が設けられている。滑り車１１は、図５に示すように、樹脂材を円輪形に形成したものであり、薄厚の樹脂シート材からなる軌道部材１１と一体のものとして使用される。この場合、滑り車１１の円輪形の部分の幅が大きいと、軌道部材１２の凹形内に嵌まり込んだ状態で、掲示パネルボード１０の移動時に軌道部材１２の凹形の底部１２ａの面上を滑り車１１を滑る状態で移動させることができる。これにより、掲示パネルボード１０をスムーズに移動させることができると共に、その起立状態をより安定化させた状態が維持される。また、掲示パネルボード１０の移動過程においても、図６に示すように、軌道部材１２の凹形側壁１２ｂが一種のガードと同様の作用が発揮され、掲示パネルボード１０が倒れることがないように作用する。
【００２５】
軌道部材１２は、図４に示すように、屋内の狭隘なスペースＡに合わせて配置できる。これにより、そのスペースＡ以外の屋内の領域に軌道部材１２が障害とはならないようにすることができる。また、軌道部材１２では、その底部１２ａの端縁部１２ｃが薄くなっており、軌道部材１２が配置される台所Ｂの床面Ｂｂに沿うようになっているから、掲示パネルボード１０の安定した移動をスムーズに行なうことができる。
【００２６】
図４には、掲示パネルボード１０の上部には、吊り掛け桟１３が片持ち梁状に設けられている。吊り掛け桟１３は対向する壁面Ｂａに取り付けることができる。吊り掛け桟１３の上面には、レール１４が設けられている。掲示パネルボード１０は、このレール１４に支持された状態で吊り爪１５とその先端に誘導車１６により吊り下げられている。この吊り掛け構成により、掲示パネルボード１０は、より安定かつスムーズな移動を確保できると共に、掲示パネルボード１０が倒れることを確実に防止することができる。この吊り掛け構成において、吊り掛け桟１３が掲示パネルボード１０が移動した時に、レール１４と共に片持ち状態となるような突き出すようにすることが好ましい。突き出した側の障害となるのを防止するためである。この吊り掛け桟１３については、室内の壁にネジ止めし、あるいは冷蔵庫側にマグネットで止め付けることができる。また、掲示パネルボードに合わせて引出し自在なパーテーションを設けておくこともできる。
【００２７】
図７に示すように、掲示パネルボード１０が傾斜した状態となる場合に、掲示パネルボード１０の表面及び裏面を支えることができるガイドレール等のクッション材１７を両面テープ材などで屋内壁Ｂａ又は／及び家具側面に沿って取り付けておいてもよい。
【００２８】
【発明の効果】
上述したように本発明の可動式掲示パネルボードは構成されるから、次のような効果が発揮される。本発明の可動式掲示パネルボードは、表面に各種の書類を押しピン等の止め付け部材により止め付けることができる掲示パネルボートであって、屋内のスペースに可動式に配設することを特徴とするから、屋内のスペースに収納させることにより、家屋の止め付け面積を拡大することが可能である。
【００２９】
この掲示パネルボードを移動させることにより、掲示パネルボードの表面側に止め付けた多くの書類の内容を容易に確認することができる。これにより止め付けた多くの書類の内容を把握することが可能であり、また、新たな書類を同様に止め付け、あるいは止め付け書類を新たなものと交換することも可能となる。
【００３０】
また、本発明の掲示パネルボードを移動させることにより隣室の出入口にまで至る場合に、この掲示パネルボードの裏面側に白クロス等を積層することにより、隣室との間の一種の間仕切りとして機能させることができる。
【００３１】
本発明の掲示パネルボードの移動は、掲示パネルボードの下部に設けた戸車等の滑り車と、軌道レール等の軌道部材あるいは掲示パネルボードの上部の吊り掛け部材などにより実行させることができる。このような滑り車と軌道部材とにより、掲示パネルボードを安定した状態でスムーズに移動させることができる。特に、軌道部材が凹形状のものである場合には、その軌道を確保できると共に、掲示パネルボードの移動時における起立状態の安定化をよりよく図ることができる。また、掲示パネルボードの上部が片持ち状にその上部で吊り掛けられることにより、掲示パネルボードの移動をよりスムーズかつ安定化させることができると共に、倒れる障害を完全に防ぐことができる。
【図面の簡単な説明】
【図１】本発明のスペース利用可動式掲示パネルボードの配設状態を説明する斜視図である。
【図２】本発明のスペース利用可動式掲示パネルボードの縦断面図である。
【図３】本発明のスペース利用可動式掲示パネルボードの移動させた時の形態を説明する斜視図である。
【図４】本発明のスペース利用可動式掲示パネルボードの他の例を説明する斜視図である。
【図５】本発明のスペース利用可動式掲示パネルボードの他の軌道部材を使用した状態を説明する部分縦断面図である。
【図６】本発明のスペース利用可動式掲示パネルボードの他の軌道部材を使用した状態を説明する部分側面図である。
【図７】本発明のスペース利用可動式掲示パネルボードにガイド部材を取り付けた状態を説明する部分側面図である。
【符号の説明】
１　掲示パネルボード
２　基材
２ｃ　取手
３　戸車
４　コルク材
５　鋼板材
５ａ　貫通穴
６　ストレッチネット
７　木版や白クロス
８　軌道レール
１０　掲示パネルボード
１１　滑り車
１２　凹形の軌道部材
１２ａ　底部
１２ｂ　凹形側壁
１３　吊り掛け桟
１４　レール
１５　吊り掛け爪
１６　吊り掛け車
Ａ　屋内の狭隘なスペース
Ｂ　台所
Ｂａ　側壁
Ｂｂ　フロアー
Ｃ　冷蔵庫
Ｄ　隣室
Ｄａ　出入り口
【図１】
2004069750.tif 000003
【図２】
2004069750.tif 000004
【図３】
2004069750.tif 000005
【図４】
2004069750.tif 000006
【図５】
2004069750.tif 000007
【図６】
2004069750.tif 000008
【図７】
2004069750.tif 000009